(57)【要約】【課題】均分樋内に有する穀粒を分配ケースの供給口内にスムースに取り込める、作業性を向上させた籾摺選別装置を提供する。【解決手段】籾摺風選後の穀粒を貯留する混合米タンク４と、混合米タンク４からの穀粒を分配ケース１８ａに配分供給する均分樋１７と、分配ケース１８ａからの穀粒を選別する揺動選別板１８ｂとを備え、均分樋１７の側部であって、分配ケース１８ａへの供給口３７近傍に、この分配ケース１８ａに向けて傾斜させた案内面３９を備え、案内面３９の内側中途部に、穀粒の散乱を防止する抑え部材４１を、揺動選別板１８ｂに伴う均分樋１７の揺動に合わせて揺動自在に設ける。【選択図】図６
2008272690.tif 000002
【特許請求の範囲】
【請求項１】
籾摺風選後の穀粒を貯留する混合米タンクと、
前記混合米タンクからの穀粒を分配ケースに配分供給する均分樋と、
前記分配ケースからの穀粒を選別する揺動選別板と、
を備える籾摺選別装置において、
前記均分樋の側部であって、前記分配ケースへの供給口近傍に、該分配ケースに向けて傾斜させた案内面を備えることを特徴とする籾摺選別装置。
【請求項２】
前記案内面の内側中途部に、穀粒の散乱を防止する抑え部材を設けることを特徴とする、請求項１に記載の籾摺選別装置。
【請求項３】
前記抑え部材を、前記揺動選別板に伴う前記均分樋の揺動に合わせて揺動自在に設けることを特徴とする、請求項１に記載の籾摺選別装置。
【発明の詳細な説明】
【技術分野】
【０００１】
本発明は、籾摺風選後の穀粒を貯留する混合米タンクと、混合米タンクからの穀粒を分配ケースに配分供給する均分樋と、分配ケースからの穀粒を選別する揺動選別板とを備える籾摺選別装置に関し、より詳細には、均分樋の側部であって、分配ケースへの供給口近傍に、この分配ケースに向けて傾斜させた案内面を備えることに関する。
【背景技術】
【０００２】
従来の籾摺選別装置には、図８に示すように、移送拡散盤５１を内設する均分樋５２と、図示しない揺動選別盤との間に仕切板５３により内部を区画する分配ケース５４を設け、それらを一体的に構成するとともに、揺動運動を与えて、混合米タンク５５から供給落下され、移送拡散盤５１を通過した穀粒および篩線５６間から通過した穀粒を、供給口５７から取り込んで、分配ケース５４を介して前記揺動選別盤に配分供給するものがある。（特許文献１）
【０００３】
【特許文献１】特開２００２−０８６０７１号公報
【発明の開示】
【発明が解決しようとする課題】
【０００４】
しかし、このような従来の籾摺選別装置では、均分樋の側部であって、分配ケースの供給口近傍を形成する壁面が、当該供給口の方向とは異なる方向に設けられているため、混合米タンク内の穀粒を、均分樋を介して分配ケースの供給口内に取り込む際、多くの穀粒が壁面に沿って供給口とは異なる方向に移動したり、壁面に衝突して乱反射され、供給口周辺で滞留や残留を起こすなどして供給口内にスムースに流入されないことから、次工程である揺動選別の処理効率が低下し、作業性が悪いという問題があった。
そこで、この発明の目的は、均分樋内に有する穀粒を分配ケースの供給口内にスムースに取り込める、作業性を向上させた籾摺選別装置を提供することにある。
【課題を解決するための手段】
【０００５】
このため、請求項１に記載の発明は、籾摺風選後の穀粒を貯留する混合米タンクと、前記混合米タンクからの穀粒を分配ケースに配分供給する均分樋と、前記分配ケースからの穀粒を選別する揺動選別板とを備える籾摺選別装置において、前記均分樋の側部であって、前記分配ケースへの供給口近傍に、該分配ケースに向けて傾斜させた案内面を備えることを特徴とする。
【０００６】
請求項２に記載の発明は、前記案内面の内側中途部に、穀粒の散乱を防止する抑え部材を設けることを特徴とする。
【０００７】
請求項３に記載の発明は、前記抑え部材を、前記揺動選別板に伴う前記均分樋の揺動に合わせて揺動自在に設けることを特徴とする。
【発明の効果】
【０００８】
請求項１に記載の発明によれば、籾摺風選後の穀粒を貯留する混合米タンクと、混合米タンクからの穀粒を分配ケースに配分供給する均分樋と、分配ケースからの穀粒を選別する揺動選別板とを備える籾摺選別装置において、均分樋の側部であって、分配ケースへの供給口近傍に、この分配ケースに向けて傾斜させた案内面を備えるので、均分樋内に供給された混合米タンクからの穀粒を、案内面に沿って分配ケースの供給口内にスムースに導入することができる。従って、処理効率を上昇させて作業性を向上させた籾摺選別装置を提供することができる。
【０００９】
請求項２に記載の発明によれば、案内面の内側中途部に、穀粒の散乱を防止する抑え部材を設けるので、均分樋内において、分配ケースの供給口周辺に向う穀粒を、抑え部材に衝突させて、穀粒の反射方向を分配ケースの供給口に向け、均分樋内側面での穀粒の乱反射により、穀粒が均分樋内に滞留や残留することを防止することができる。従って、処理効率を上昇させて作業性を向上させた籾摺選別装置を提供することができる。
【００１０】
請求項３に記載の発明によれば、抑え部材を、揺動選別板に伴う均分樋の揺動に合わせて揺動自在に設けるので、揺動選別板および均分樋の揺動に伴い、抑え部材を揺動させることで、穀粒の反射方向を分配ケースの供給口方向に向け、穀粒をスムースに供給口へ誘導することができる。従って、処理効率を上昇させて作業性を向上させた籾摺選別装置を提供することができる。
【発明を実施するための最良の形態】
【００１１】
以下図面を参照しつつ本発明を実施するための最良の形態について説明する。
図１は、この発明の一例としての籾摺選別装置の右側面図、図２は籾摺選別装置の平面図、図３は籾摺選別装置の背面図、図４は籾摺選別装置内部の側面模式図である。
【００１２】
この例の籾摺選別装置１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃還元装置７と籾還元スロワ１６とが連設される。
【００１３】
そして、図４に示すように、主軸１１ａと副軸１１ｂとからなる籾摺ロール１１ｃを有する籾摺部１１の下方には、籾摺ロール１１ｃで籾摺され、得られた粃や玄米などの混合米（混合穀粒）が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の小米を含む粃（中間穀粒）が落下する粃排出樋１４、さらに粃排出樋１４の後部には、混合米中の籾や玄米（選別穀粒）が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する均分樋１７を有し、この均分樋１７の下方には揺動選別部１８が備えられる。この揺動選別部１８は、均分樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
揺動選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１７】
なお、符号２３は、籾摺選別装置１を運転操作する操作盤で、装置各部を駆動制御する不図示のコントローラが内臓されている。
【００１８】
ここで、籾摺選別装置１を使用して籾摺作業を行うときは、籾ホッパ２に籾（原料穀粒）を供給し、操作盤２３の図示しないスイッチにより機体各部を駆動させ、籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
また、上記風選路１２ａで風選された比較的軽い粃（小米を含む）は、粃出口１４から排出され、粃還元装置７内に流入する。この粃還元装置７は本願発明の要部であり、詳細を後述するが、風選路１２ａに有する粃排出樋１４に連通される粃出口１４ａから風選部１２を背面に有する風選部枠８に沿って籾還元スロワ１６の背面に有する選別部１８からの返り籾入口部１６ａに向って斜設される。また、粃還元装置７下端部には駆動モータ２４が備えられており、この駆動モータ２４により粃還元装置７の胴部筒内に有する螺旋７ａが、粃出口１４ａと返り籾入口部１６ａとの間で駆動される。なお、図５では籾還元スロワ１６の底部一部分のみを記している。そして、粃出口１４ａから粃還元装置７内に流入した粃は、螺旋７ａにより返り籾入口部１６ａまで搬送される。一方、重量の重い玄米と籾摺を損ねた籾との混合米は受樋１５に落下し、混合米揚穀機３で揚穀されて混合米タンク４に供給された後、均分樋１７および分配ケース１８ａを介して揺動選別板１８ｂに供給される。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０に落下し、受樋１５を介して再度選別部１８に搬送され、玄米は玄米用流路２１から玄米揚穀機２３を介して機外に取り出される。また、返り籾（返り穀粒）は籾用流路１９から流入した返り籾入口部１６ａで、前述した粃搬送装置７によって搬送されてきた粃と合流し、これら籾および籾は、返り籾出口部１６ｂから籾還元スロワ１６を介して籾摺部１１に還元され、再度籾摺される。
【００２３】
次に、本願発明の特徴である均分樋について、その具体的構成を説明する。図５は、均分樋の形状を示す上方から見た斜視図、図６は分配ケースの供給口周辺を示す側面方向からの斜視図、図７は抑え部材を拡大して模式的に示した前方方向からの斜視図である。
【００２４】
図４〜５に示すように、均分樋１７は、揺動選別板１８ｂに取付けられた分配ケース１８ａ上に載設され、これら均分樋１７と、分配ケース１８ａと、揺動選別板１８ｂとが一体形成される。
【００２５】
均分樋１７は、図５〜６に示すように、この均分樋１７に内設される異物搬送装置３０が断面山形に形成され（図５は、天板や異物搬送装置３０および後述の均分装置４２の記載を省略している）その各山形の側面視右側である移送面には、幅広い落下口３１を開口するとともに、移送終端側３２を移送始端側３３よりやや高く傾斜させ、異物搬送装置３０の移送始端側３３と均分樋１７の前壁３４の間には、篩線３５を張設して異物搬送装置３０と篩線３５によって均分樋１７内を上下に二分し、異物搬送装置３０の移送始端側３３から均分樋１７の前端部にかけての下方位置に相当する底板３６の部分を開口して、均分樋１７と、分配ケース１８ａとが供給口３７によって連通される。なお、符号４２は、底板３６上に堆積した穀粒を均分させるための回動式の均分板を備える均分装置である。
【００２６】
そして、分配ケース１８ａの供給口３７上方近傍である、均分樋１７側部の壁面３８を、分配ケース１８ａに向けて、供給口３７の延長線と壁面３８との間の角度θが、例えば、４０〜６０度の範囲であり、好ましくは５０度に壁面３８を傾斜させた、穀粒の案内面３９が設けられる。なお、案内面３９は、図５〜６に示すように、壁面３８の中途部で傾斜角度を変えてもよいが、角度を変えずに直線的な傾斜や、湾曲させるなど曲線的な傾斜にしてもよい。
【００２７】
ここで、混合米タンク４内に貯留される穀粒は、異物搬送装置３０の移送始端側３３と篩線３５に落下し、大半の玄米と籾は篩線３５の線間から通過して底板３６上を供給口３７に向かい、篩線３５から通過しないものと、異物搬送装置３０上に受け止められた玄米．籾および混合米中に混在する枝梗付き籾、稈切れと小石、金属片などの異物は、異物搬送装置３０の幅方向に広がりながら移送終端側３２に移送され、その間に玄米、籾、枝梗付き籾、稈切れなどは落下口３１を抜けて落下し、落下口３１から抜けない小石、金属片などの異物は、移送終端側３２に移送されて機外に排出される。
【００２８】
そして、この篩線３５の線間を通過した玄米や籾と、落下口３１を抜けて落下する玄米、籾、枝梗付き籾、稈切れなどは、供給口３７から分配ケース１８ａの仕切板４０によって仕切られながら分配ケース１８ａ内に落入して各揺動選別板１８ｂに配分供給されるが、上述のような構成にすることで、篩線３５の線間を通過した玄米や籾と、落下口３１を抜けて落下する玄米、籾、枝梗付き籾などは、案内面３９に衝突し、この案内面３９に沿って供給口３７に向かうため、従来のように穀粒の一部が壁面３８に沿って供給口３７とは異なる方向に反射や移動し、供給口３７周辺で滞留や残留を起こすことなく、これら均分樋１７の穀粒を分配ケース１８ａ内にスムースに取り込むことができる。
【００２９】
さらには、上述した篩線３５の線間を勢いよく通過する玄米や籾と、落下口３１を抜けて勢いよく落下する玄米、籾、枝梗付き籾、稈切れなど穀粒の、案内面３９である壁面３８への衝突による散乱を防止する抑え部材を設けることができる。
【００３０】
この場合、図７に示すように、案内面３９内側の中途部に、案内面３９に対して略垂直方向に、適宜長さを有する、例えば、薄い金属板などからなる抑え部材４１の一端が取付けられる。
【００３１】
このような構成にすることで、篩線３５の線間や落下口３１を抜けて勢いよく落下し、案内面３９の下部や、底板３６などに衝突して上方に反射する、玄米、籾、枝梗付き籾などの穀粒が抑え部材４１の下部に衝突するため、これら穀粒を再度下方の供給口３７に向けて反射させたり、案内面３９に沿って供給口３７に誘導させることができる。従って、従来のように穀粒の一部が、壁面３８下部や底板３６に衝突して供給口３７方向とは異なる四方に乱反射して散乱し、供給口３７周辺で滞留や残留を起こすことなく、これら均分樋１７の穀粒を分配ケース１８ａ内にスムースに取り込むことができる。
【００３２】
上述したように抑え部材４１は固定して設けてもよいが、さらには、この抑え部材４１を揺動可能に取付けることもできる。この場合、例えば、図７の囲い内に示すように、抑え部材４１の上端部に設けられた、例えばヒンジ構造のような揺動軸４３を介して抑え部材４１が案内面３９に取付けられる。この揺動軸４３の軸方向は、均分樋１７の左右側部方向であるため、抑え部材４１が均分樋１７の前後方向に揺動される。なお、抑え部材４１の揺動方法は上記に限定されない。
【００３３】
このような構成にすることで、抑え部材４１が揺動選別板１８ｂに伴う均分樋１７などの揺動に同調して揺動されるので、均分樋１７が側面視（図５〜６）左側である籾摺選別装置１の前方向に揺動した場合は、抑え部材４１の下端も同方向である均分樋１７の前方向（供給口３７方向）に揺動されるため、上述した案内面３９の下部や、底板３６などに衝突して上方に反射する穀粒を抑え部材４１に衝突させて、供給口３７方向に向かわせることができ、これら穀粒を供給口３７内にスムースに取り込むことができる。
【００３４】
一方、均分樋１７が側面視（図５〜６）右側である籾摺選別装置１の後方向に揺動した場合は、抑え部材４１の下端も同方向である均分樋１７の後方向に揺動されるため、前記のように案内面３９の下部や、底板３６などに衝突して上方に反射する穀粒を抑え部材４１に衝突させて、これら穀粒の乱反射を防ぐことができる。
【００３５】
また、上述したように均分樋１７に同調して抑え部材４１を同じ周期で揺動させてもよいが、抑え部材４１の揺動周期をずらすこともできる。この場合、図７の囲い内に示すように、揺動軸４３などに、例えば、錘４４などが吊着される。なお、錘４４の吊着位置は前記に限定されない。また、抑え部材４１の揺動周期をずらす方法は、錘４４に限定されず、抑え部材４１自体の質量を大きくするなど、限定されない。
【００３６】
このような構成にすることで、均分樋１７が図５〜６における側面視左側（前方向）から右側（後方向）に揺動した場合には、錘４４の質量の鉛直下方への力により、均分樋１７が後方向に移動していても抑え部材４１の下端は前方向の位置に残っているので、案内面３９の下部や、底板３６などに衝突して上方に反射する穀粒を抑え部材４１に衝突させて、供給口３７方向に向かわせることができ、これら穀粒を供給口３７内にスムースに取り込むことができる。
【００３７】
一方、均分樋１７が図５〜６における側面視右側（後方向）から左側（前方向）に揺動した場合には、錘４３の質量により、均分樋１７が前方向に移動していても、錘４４の質量の鉛直下方への力により、抑え部材４１の下端は後方向の位置に残っているので、この供給口３７上方近傍に位置する抑え部材４１に、底板３６などに衝突して上方に反射する穀粒が衝突するため、これら穀粒を供給口３７方向に向かわせて、供給口３７内にスムースに取り込むことができる。
【００３８】
以上詳述したように、この例の籾摺選別装置１は、籾摺風選後の穀粒を貯留する混合米タンク４と、混合米タンク４からの穀粒を分配ケース１８ａに配分供給する均分樋１７と、分配ケース１８ａからの穀粒を選別する揺動選別板１８ｂとを備え、均分樋１７の側部であって、分配ケース１８ａへの供給口３７近傍に、この分配ケース１８ａに向けて傾斜させた案内面３９を備えるものである。加えて、案内面３９の内側中途部に、穀粒の散乱を防止する抑え部材４１を、揺動選別板１８ｂに伴う均分樋１７の揺動に合わせて揺動自在に設ける。
【図面の簡単な説明】
【００３９】
【図１】本発明の籾摺選別装置の一例を示す側面図である。
【図２】籾摺選別装置の平面図である。
【図３】籾摺選別装置の背面図である。
【図４】籾摺選別装置の内部構造を示す側面模式図である。
【図５】均分樋の形状を示す上方から見た斜視図である。
【図６】分配ケースの供給口周辺を示す側面方向からの斜視図である。
【図７】抑え部材を拡大して模式的に示した前方方向からの斜視図である。
【図８】従来の籾摺選別装置の均分樋を示す斜視図である。
【符号の説明】
【００４０】
１    籾摺選別装置
４    混合米タンク
１７    均分樋
１８ａ    分配ケース
１８ｂ    揺動選別板
３０    異物搬送装置
３１    落下口
３２    移送終端側
３３    移送始端側
３４    前壁
３５    篩線
３６    底板
３７    供給口
３８    壁面
３９    案内面
４０    仕切板
４１    抑え部材
４２    均分装置
４３    揺動軸
４４    錘
【図１】
2008272690.tif 000003
【図２】
2008272690.tif 000004
【図３】
2008272690.tif 000005
【図４】
2008272690.tif 000006
【図５】
2008272690.tif 000007
【図６】
2008272690.tif 000008
【図７】
2008272690.tif 000009
【図８】
2008272690.tif 000010